(57)【特許請求の範囲】
【請求項１】
ハウジング先端部に係合溝と係止突起とを有する第１コネクタと、先端部に前記係合溝に係合するロック部を有する可撓性のロックアームを設けたハウジング本体を備え、不完全嵌合を防止するために軸方向に弾性部材により弾性付勢され且つ前端部に前記係止突起に当接する当接部を有するスライダーを前記ハウジング本体に装着した第２コネクタとを具備するコネクタ嵌合構造において、
前記スライダーが前記ロックアームを跨ぐように、かつ前後及び上下にスライド可能に前記ハウジング本体内に装着されると共に、前記ロックアームに前記当接部を押し上げるための押し上げ突起が設けられていることを特徴とするコネクタ嵌合構造。
【請求項２】
ハウジング先端部に係合溝と係止突起とを有する第１コネクタと、先端部に前記係合溝に係合するロック部を有する可撓性のロックアームを設けたハウジング本体を備え、前記ロックアームの撓みを制御するために軸方向に弾性部材により弾性付勢され、かつ前端部に前記係止突起に当接する当接部を有するスライダーを前記ハウジング本体に装着した第２コネクタとを具備するコネクタ嵌合構造において、
前記スライダーが前記ロックアームを跨ぐように前後にスライド可能に前記ハウジング本体内に装着されると共に、前記スライダーには左右に可撓性の一対の片持ちアームを前方へ突出するように設け、該片持ちアームの内側には前端上部に後面に解除斜面を有する一対の前記当接部と、中央下部に前記ロックアームの撓みを制御するための一対の撓み防止部とを設け、前記ロックアームの中央外面には前記片持ちアームを左右に拡げて前記当接部による前記スライダーのロックを解除するための一対の開放突起が設けられていることを特徴とするコネクタ嵌合構造。
【発明の詳細な説明】
【０００１】
【発明の属する技術分野】
本発明は、各種電子機器と電線とを直接接続するのに使用される直付けタイプのコネクタの嵌合構造であり、詳しくは不完全嵌合を防止し、嵌合ロックを確実に行うためのコネクタ嵌合構造に関する。
【０００２】
【従来の技術】
従来からコネクタ嵌合構造に関しては、例えば、特開平９−１３４７５７号公報に開示されているようなものが知られている。
図１１に示したように、従来のコネクタ嵌合構造６１は、主として電気機器等に一体的に装着される第１コネクタ６２と、主としてコネクタ端子を端部に圧着された電線が装着される第２コネクタ６３とからなる。この第２コネクタ６３は、ハウジング本体６４と、該ハウジング本体６４の外周を軸方向にスライド可能で、かつ前方へ図示していないバネ部材により弾性付勢されるスライダー６５から構成されている。
【０００３】
第１コネクタ６２のハウジング６６先端部には係合溝６７と係止突起６８とが設けられている。また、ハウジング本体６４先端部には係合溝６７に係合するロック部６９を有する可撓性のロックアーム７０が設けられている。
また、スライダー６５にはロックアーム７０の撓みを制御するために軸方向前方へ弾性付勢され、かつ前端部に係止突起６８に当接される当接部７１が設けられている。この当接部７１は片持ちアーム７２の前端部に設けられ、片持ちアーム７２はスライダー６５後端部に設けられ、外側へ撓むことができ、中央に長方形のスライド孔７３を有している。
さらに、ハウジング本体６４のスライド孔７３に対応する位置には片持ちアーム押し上げ突起７４が形成されている。
【０００４】
図１２に示したように、上記構成のコネクタ嵌合構造６１においては、第１、第２コネクタ６２、６３を互いに嵌合させて行くと、先ずスライダー６５に設けられた片持ちアーム７２先端の当接部７１が第１コネクタ６２のハウジング６６に形成されている係止突起６８に当接される。そして、第２コネクタ６３のハウジング本体６４を嵌合方向へさらに押し込むと、スライダー６５は停止したままでハウジング本体６４だけが嵌合方向へ前進する。
【０００５】
すると、図１３に示したように、ロックアーム７０の前半部分はスライダー６５から露出するので上方へ撓み易くなる。そこで、ハウジング本体６４がさらに押し込まれると、ロック部６９は相手のハウジング６６前端部に乗り上げて前進する。
図１４に示したように、ロック部６９が係合溝６７にロックされる直前に片持ちアーム押し上げ突起７４が当接部７１を押し上げて係止突起６８による係止を解除する。その結果、ロック部６９が係合溝６７にロックされると同時にスライダー６５は弾性付勢力によって前進し、ロックされたロック部６９を覆ってロック部外れを防止する。
【０００６】
なお、第１、第２コネクタ６２、６３の嵌合を解除するには、スライダー６５を後方へ引き戻すと、スライダー６５にはハウジング本体６４との間に図示されない移動規制機構があるので、ハウジング本体６４も引き戻される。このとき、ロック部６９はスライダー６５には覆われていないと共に、ロック部６９の後面にも傾斜面が付いているので、ロックアーム７０を外方へ撓ませて係合溝６７の係合から解除される。これにより、第１、第２コネクタ６２、６３を互いに離脱させることができる。
【０００７】
【発明が解決しようとする課題】
しかしながら、上記従来のコネクタ嵌合構造６１においては、図１３に示すようにロック機構としてのロック部６９、ロックアーム７０および係合溝６７が、図中上側に設けられている。これに対して、検知機構としての係止突起６８、当接部７１および片持ちアーム押し上げ突起７４が、図中下側に設けられている。したがって、第１、第２コネクタ６２、６３が極端に傾いて嵌入された場合、ロック機構と検知機構とのタイミングがずれて嵌合が途中で止まってしまい不完全嵌合になるという問題があった。
【０００８】
すなわち、当接部７１が係止突起６８から外されてスライダー６５が弾性付勢力によって前進した場合、ロック部６９が係合溝６７に落ちていないとスライダー６５はロックアーム７０に乗り上げて止まってしまう。
また、第１、第２コネクタ６２、６３嵌合時にはスライダー６５の内側にあるハウジング本体６４のみを押し込むようになっているので操作し難く、嵌合を解除する場合は、スライダー６５のみを引っ張るような構成になっているので誤操作し易いという問題があった。
【０００９】
本発明の目的は、上記問題点に鑑みてなされたものであり、コネクタが傾いて嵌合されても不完全嵌合が防止されると共に、操作し易く作業性が良好なコネクタ嵌合構造を提供することにある。
【００１０】
【課題を解決するための手段】
本発明に係わる上記課題は、ハウジング先端部に係合溝と係止突起とを有する第１コネクタと、先端部に前記係合溝に係合するロック部を有する可撓性のロックアームを設けたハウジング本体を備え、不完全嵌合を防止するために軸方向に弾性部材により弾性付勢され且つ前端部に前記係止突起に当接する当接部を有するスライダーを前記ハウジング本体に装着した第２コネクタとを具備するコネクタ嵌合構造において、前記スライダーが前記ロックアームを跨ぐように、かつ前後及び上下にスライド可能に前記ハウジング本体内に装着されると共に、前記ロックアームに前記当接部を押し上げるための押し上げ突起が設けられていることを特徴とするコネクタ嵌合構造によって解決することができる。
【００１１】
前記構成のコネクタ嵌合構造によれば、係止機構としてのロックアーム、ロック部、係止突起および係合溝と、検知機構としての当接部および押し上げ突起とが第１、第２コネクタの同一ライン上近くにあるので、傾いて嵌合されても係止機構と検知機構の作動タイミングがずれて不完全嵌合状態で放置されることはない。
また、スライダーはハウジング本体内にあるので、嵌合および解除操作はすべてハウジング本体の移動によって行われるため、嵌合および解除時の操作が容易でかつ確実に行うことができる。よって、信頼性が高く、作業性に優れたコネクタ嵌合構造を得ることができる。
【００１２】
また、本発明に係わる上記課題は、ハウジング先端部に係合溝と係止突起とを有する第１コネクタと、先端部に前記係合溝に係合するロック部を有する可撓性のロックアームを設けたハウジング本体を備え、前記ロックアームの撓みを制御するために軸方向に弾性部材により弾性付勢され、かつ前端部に前記係止突起に当接する当接部を有するスライダーを前記ハウジング本体に装着した第２コネクタとを具備するコネクタ嵌合構造において、前記スライダーが前記ロックアームを跨ぐように前後にスライド可能に前記ハウジング本体内に装着されると共に、前記スライダーには左右に可撓性の一対の片持ちアームを前方へ突出するように設け、該片持ちアームの内側には前端上部に後面に解除斜面を有する一対の前記当接部と、中央下部に前記ロックアームの撓みを制御するための一対の撓み防止部とを設け、前記ロックアームの中央外面には前記片持ちアームを左右に拡げて前記当接部による前記スライダーのロックを解除するための一対の開放突起が設けられていることを特徴とするコネクタ嵌合構造によって解決することができる。
【００１３】
前記構成のコネクタ嵌合構造によれば、係止機構としてのロックアーム、ロック部、係止突起および係合溝と、検知機構としての当接部、撓み防止部および開放突起とが第１、第２コネクタの同一ライン上近くにあるので、第１、第２コネクタが傾いて嵌合されても係止機構と検知機構の作動タイミングがずれて不完全嵌合状態で放置されることはない。
また、嵌合操作はハウジング本体を嵌合方向に押圧するだけでよく、解除操作はスライダーを反嵌合方向に引っ張るだけでよいので、操作が簡単で、誤操作の心配がない。さらに、スライダーはハウジング本体内で軸方向に移動するだけなので、滑らかな弾性付勢が期待できる。よって、信頼性が一層高く、作業性に優れたコネクタ嵌合構造を得ることができる。
【００１４】
【発明の実施の形態】
以下、本発明のコネクタ嵌合構造の第１実施形態を図１乃至図５に基づいて詳細に説明する。図１は本発明のコネクタ嵌合構造の第１実施形態を示す嵌合開始時における縦断面図、図２は図１におけるハウジング本体とスライダーの分解斜視図、図３は図１における嵌合途中状態を示す作動説明図、図４は図３におけるさらに嵌合が進んだ嵌合途中状態を示す作動説明図、図５は図４における嵌合完了状態を示す作動説明図である。
【００１５】
図１乃至図５に示すように本実施形態のコネクタ嵌合構造１は、主として電気機器等に一体的に装着される第１コネクタ２と、主としてコネクタ端子を端部に圧着した電線が装着される第２コネクタ３とから構成されている。この第２コネクタ３は、ハウジング本体４と、このハウジング本体４のスライダー収容部４ａ内を前後方向および上下方向にスライド可能で、かつ前方へ圧縮バネ２５によって弾性付勢されたスライダー５とから構成されている。
【００１６】
第１コネクタ２のハウジング６先端には係合溝７と係止突起８とが設けられており、第２コネクタ３のハウジング本体４先端には係合溝７に係合するロック部９を有する可撓性のロックアーム１０が設けられている。
また、図２に示すようにスライダー５には嵌合時に一時的にスライダー５の前進を停止させるために前端部に係止突起８に当接される当接部１１が設けられている。この当接部１１はスライダー５前端上部に取付けられていて後面に傾斜面１１ａが設けられている。
また、スライダー５の左右側面の前端下部には一対の案内突起１２が外方に突出しており、上記スライダー収容部４ａの左右内面に突出して設けられたガイドレール１３の周りを移動してスライダー５の動きを助けるようになっている。
さらに、ロック部９後方のロックアーム１０上には当接部１１に対応する位置にスライダー５を押し上げるための押し上げ突起１４が形成されている。
【００１７】
また、第１コネクタ２のハウジング６の内部空間１５には、雄型のコネクタ端子１８が突出しており、ハウジング本体４の端子収容室１６には、雌型のコネクタ端子１９が装着されている。
なお、押し上げ突起１４後端にはロックアーム１０を下方へ撓ませるための押圧板１７が設けられており、ハウジング本体４の前端上部内側には当接部１１を止めるストッパ突起２０が設けられている。
【００１８】
上記構成のコネクタ嵌合構造１においては、図１に示すように第１、第２コネクタ２、３を互いに嵌合させると、先ずスライダー５に設けられた当接部１１の先端面が第１コネクタ２のハウジング６に形成されている係止突起８に当接されるのでスライダー５は前進を一時阻止される。さらに、第２コネクタ３のハウジング本体４を嵌合方向へ押し込むと、スライダー５は停止したままでハウジング本体４だけが嵌合方向へ前進する。
すると、図３に示すように係止突起８先端の傾斜面がロック部９先端の傾斜面に当接されてロック部９を押し下げるからロックアーム１０は下方に撓む。そして、ロック部９は相手のハウジング６前端をくぐり抜けるように前進する。このとき、スライダー５は圧縮バネ２５の弾性付勢力に抗しながら当接部１１の傾斜面１１ａが押し上げ突起１４に当接されるから係止突起８前端面をスライドしながら上方に押し上げられる。
【００１９】
その後、図４に示すようにロック部９が係合溝７にロックされる直前に押し上げ突起１４が当接部１１をさらに押し上げる。そして、図５に示すようにロック部９が係合溝７にロックされると同時にスライダー５は圧縮バネ２５の弾性付勢力によってハウジング本体４前端のストッパ突起２０に当接するまで前進する。これにより、第１、第２コネクタ２、３の嵌合作業が完了して、双方のコネクタは完全嵌合状態にロックされると共に、双方の雌雄型のコネクタ端子１８、１９は電気的に接続される。
【００２０】
また、第１、第２コネクタ２、３の嵌合を解除する場合は、押圧板１７を押圧してロックアーム１０を下方に撓ませるとロック部９が係合溝７から外れるから、そのままハウジング本体４を反嵌合方向へ引っ張ることで、双方のコネクタ２、３を解除させることができる。
【００２１】
上述したように本実施形態のコネクタ嵌合構造１においては、スライダー５がロックアーム１０を跨ぐように、かつ前後および上下にスライド可能にハウジング本体４内に装着されると共に、ロックアーム１０に当接部１１を押し上げるための押し上げ突起１４が設けられている。
したがって、係止機構としての係合溝７、係止突起８、ロック部９およびロックアーム１０と、検知機構としての当接部１１および押し上げ突起１４とが第１、第２コネクタ２、３の同一ライン上近くにあり、傾いて嵌合されても係止機構と検知機構の作動タイミングがずれて不完全嵌合状態で放置されるようなことはない。
【００２２】
そして、完全嵌合時にはスライダー５はハウジング本体４内に完全に入るので、目視でも検知することができる。また、スライダー５はハウジング本体内４にあるので、嵌合および解除操作はすべてハウジング本体の移動によって行われるので、操作が容易で、かつ誤操作の心配がない。よって、信頼性が高く、作業性に優れたコネクタ嵌合構造を得ることができる。
【００２３】
次に、本発明のコネクタ嵌合構造の第２実施形態を図６乃至図１０に基づいて詳細に説明する。図６は本発明のコネクタ嵌合構造の第２実施形態を示す嵌合開始時における縦断面図、図７は図６におけるハウジング本体とスライダーの分解斜視図、図８は図６における嵌合途中状態を示す作動説明図、図９は図８におけるさらに嵌合が進んだ嵌合途中状態を示す作動説明図、図１０は図９における嵌合完了状態を示す作動説明図である。
【００２４】
図６乃至図１０に示すように本実施形態のコネクタ嵌合構造３１は、主として電気機器等に一体的に装着される第１コネクタ３２と、主としてコネクタ端子を端部に圧着した電線が装着される第２コネクタ３３とから構成されている。この第２コネクタ３３は、ハウジング本体３４と、このハウジング本体３４内を前後方向にスライドし、かつ前方へ圧縮バネ５５によって弾性付勢されたスライダー３５とから構成されている。
【００２５】
第１コネクタ３２のハウジング３６先端部には係合溝３７と係止突起３８とが設けられており、第２コネクタ３３のハウジング本体３４先端部には係合溝３７に係合するロック部３９を有する可撓性のロックアーム４０が設けられている。また、スライダー３５がロックアーム４０を跨ぐように前後にスライド可能にハウジング本体３４内に装着されると共に、スライダー３５には左右に可撓性の一対の片持ちアーム４３、４３が前方へ突出するように設けられている。
また、この片持ちアーム４３の内側には前端上部に後面に解除斜面４２を有する一対の当接部４１、４１と、中央下部にロックアーム４０の撓みを制御するための一対の撓み防止部４４、４４とが設けられている。
【００２６】
また、図７に示すようにロックアーム４０の中央外面には一対の片持ちアーム４３、４３を左右に拡げて当接部４１によるスライダー３５のロックを解除するための一対の開放突起４５、４５と、片持ちアーム４３の内側に開放突起４５が通る溝部４６と開放斜面４７が設けられている。
また、スライダー３５の後端上面には第１、第２コネクタ３２、３３の嵌合を解除するための摘み部４８が設けられると共に、ロックアーム４０上のストッパ突起４９がハウジング本体３４に対するスライダー３５の移動を規制する。なお、第１コネクタ３２のハウジング３６の内部空間５０には雄型のコネクタ端子５１が突出しており、ハウジング本体３４の端子収容室５２には雌型のコネクタ端子５３が装着されている。
【００２７】
上記構成のコネクタ嵌合構造３１においては、図６に示すように第１、第２コネクタ３２、３３を互いに嵌合させると、先ずスライダー３５に設けられた当接部４１の先端面が第１コネクタ３２の係止突起３８に当接する。そして、第２コネクタ３３のハウジング本体３４を嵌合方向へ押し込むと、スライダー３５は停止したままでハウジング本体３４だけが嵌合方向へ前進する。
すると、図８に示すように係止突起３８先端の傾斜面がロック部３９先端の傾斜面に当接されてロック部３９を押し下げるので、ロックアーム４０は下方に撓む。これにより、ロック部３９は相手のハウジング３６前端部の下方をくぐり抜けて前進する。
【００２８】
このとき、図７及び図９に示すように開放突起４５が溝部４６前端の開放斜面４７に当接するので、スライダー３５の一対の片持ちアーム４３、４３が左右方向に押し開かれる。すると、図１０に示すように係止突起３８に当接していた当接部４１が左右方向に開放されるので、スライダー３５は圧縮バネ５５の弾性付勢力によってハウジング本体３４の前端方向に移動すると共にロック部３９は係合溝３７にロックされる。そして、撓み防止部４４がロックアーム４０の先端部を下から撓まないように押さえるので、振動等によるロック状態が外れることはなく、第１、第２コネクタ３２、３３の嵌合が完了する。
【００２９】
次に、第１、第２コネクタ３２、３３の嵌合を解除する場合は、スライダー３５の摘み部４８を圧縮バネ５５の弾性付勢力に抗しながら反嵌合方向へ引っ張ると、撓み防止部４４がロックアーム先端下部から外れる。このとき、当接部４１の解除斜面４２がロック部３９を押し下げて係合溝３７によるロック状態を解除するので、圧縮バネ５５の弾性付勢力と相まってハウジング本体３４もハウジング３６から容易に引き抜くことができる。
【００３０】
上述したように本実施形態のコネクタ嵌合構造３１によれば、スライダー３５がロックアーム４０を跨ぐように前後にスライド可能にハウジング本体内３４に装着されている。また、スライダー３５には左右に可撓性の一対の片持ちアーム４３、４３が前方へ突出するように設けられている。また、この片持ちアーム４３の内側には前端上部に後面に解除斜面４２を有する一対の当接部４１、４１と、中央下部にはロックアーム４０の撓みを制御するための一対の撓み防止部４４、４４が設けられている。さらに、ロックアーム４０の中央外面には一対の片持ちアーム４３を左右方向に拡げて当接部４１によるスライダー３５のロックを開放するための一対の開放突起４５、４５が設けられている。
【００３１】
したがって、係止機構としてのロックアーム４０、ロック部３９、係止突起３８および係合溝３７と、検知機構としての当接部４１、撓み防止部４４および開放突起４５とが第１、第２コネクタ３２、３３の同一ライン上近くにあるので、第１、第２コネクタ３２、３３が傾いて嵌合されても係止機構と検知機構の作動タイミングがずれて不完全嵌合状態で放置されることはない。
【００３２】
また、スライダー３５のハウジング本体３４に対する位置によって完全嵌合状態が目視により検知することができる。また、嵌合操作はハウジング本体３４のみの押圧移動によって行われると共に、解除操作はスライダー３５のみの引き抜き移動によって行われるので、嵌合および解除操作が容易である。
さらに、スライダー３５はハウジング本体３４内で前後方向に移動するだけであるから、滑らかな弾性付勢が期待できる。よって、信頼性が高く、作業性に優れたコネクタ嵌合構造を得ることができる。
【００３３】
なお、本発明のコネクタ嵌合構造は上述した実施形態に限定されるものでなく、適宜な変更を行うことにより他の形態でも実施することができる。例えば、上記実施形態ではロックアーム１０、４０およびロック部９、３９は一対設けられていたが、ロック相手側の係止突起８、３８および係合溝７、３７の形状を対応するように工夫すれば、中央に１個設ける構成であっても差し支えない。
【００３４】
【発明の効果】
以上説明したように本発明のコネクタ嵌合構造によれば、スライダーがロックアームを跨ぐように、かつ前後及び上下にスライド可能にハウジング本体内に装着されると共に、ロックアームに当接部を押し上げるための押し上げ突起が設けられている。
したがって、係止機構としてのロックアーム、ロック部、係止突起および係合溝と、検知機構としての当接部および押し上げ突起とが第１、第２コネクタの同一ライン上近くにあるので、傾いて嵌合されても係止機構と検知機構の作動タイミングがずれて不完全嵌合状態で放置されることはない。
また、スライダーはハウジング本体内にあるので、嵌合および解除操作はすべてハウジング本体の移動によって行われるため、嵌合および解除時の操作が容易でかつ確実に行うことができる。よって、信頼性が高く、作業性に優れたコネクタ嵌合構造を得ることができる。
【００３５】
また、本発明のコネクタ嵌合構造によれば、スライダーがロックアームを跨ぐように前後にスライド可能にハウジング本体内に装着されると共に、スライダーには左右に可撓性の一対の片持ちアームを前方へ突出するように設け、片持ちアームの内側には前端上部に後面に解除斜面を有する一対の当接部と、中央下部にロックアームの撓みを制御するための一対の撓み防止部とを設け、ロックアームの中央外面には片持ちアームを左右に拡げて当接部によるスライダーのロックを解除するための一対の開放突起が設けられている。
したがって、係止機構としてのロックアーム、ロック部、係止突起および係合溝と、検知機構としての当接部、撓み防止部および開放突起とが第１、第２コネクタの同一ライン上近くにあるので、第１、第２コネクタが傾いて嵌合されても係止機構と検知機構の作動タイミングがずれて不完全嵌合状態で放置されることはない。
また、嵌合操作はハウジング本体を嵌合方向に押圧するだけでよく、解除操作はスライダーを反嵌合方向に引っ張るだけでよいので、操作が簡単で、誤操作の心配がない。さらに、スライダーはハウジング本体内で軸方向に移動するだけなので、滑らかな弾性付勢が期待できる。よって、信頼性が一層高く、作業性に優れたコネクタ嵌合構造を得ることができる。
【図面の簡単な説明】
【図１】本発明のコネクタ嵌合構造の第１実施形態を示す嵌合開始時における縦断面図である。
【図２】図１におけるハウジング本体とスライダーの分解斜視図である。
【図３】図１における嵌合途中状態を示す作動説明図である。
【図４】図３におけるさらに嵌合が進んだ嵌合途中状態を示す作動説明図である。
【図５】図４における嵌合完了状態を示す作動説明図である。
【図６】本発明のコネクタ嵌合構造の第２実施形態を示す嵌合開始時における縦断面図である。
【図７】図６におけるハウジング本体とスライダーの分解斜視図である。
【図８】図６における嵌合途中状態を示す作動説明図である。
【図９】図８におけるさらに嵌合が進んだ嵌合途中状態を示す作動説明図である。
【図１０】図９における嵌合完了状態を示す作動説明図である。
【図１１】従来のコネクタ嵌合構造の一例を示す縦断面図である。
【図１２】図１１における嵌合開始時の作動説明図である。
【図１３】図１１における嵌合途中の作動説明図である。
【図１４】図１１における嵌合完了の作動説明図である。
【符号の説明】
１、３１  コネクタ嵌合構造
２、３２  第１コネクタ
３、３３  第２コネクタ
４、３４  ハウジング本体
５、３５  スライダー
６、３６  ハウジング
７、３７  係合溝
８、３８  係止突起
９、３９  ロック部
１０、４０  ロックアーム
１１、４１  当接部
１４        押し上げ突起
２５、５５  圧縮バネ（弾性部材）
４２        解除斜面
４３        片持ちアーム
４４        撓み防止部
４５        開放突起
【図１】
0003664428.tif 000002
【図２】
0003664428.tif 000003
【図３】
0003664428.tif 000004
【図４】
0003664428.tif 000005
【図５】
0003664428.tif 000006
【図６】
0003664428.tif 000007
【図７】
0003664428.tif 000008
【図８】
0003664428.tif 000009
【図９】
0003664428.tif 000010
【図１０】
0003664428.tif 000011
【図１１】
0003664428.tif 000012
【図１２】
0003664428.tif 000013
【図１３】
0003664428.tif 000014
【図１４】
0003664428.tif 000015